(57)【要約】【課題】軽量化できかつ要求光度に合わせて半導体発光モジュール数を容易に変更できる照明装置を提供すること。【解決手段】ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５の各基台１の上端表側には、１枚の上側横梁２−Ｕがねじによって固定され、各基台１の下端表側には、１枚の下側横梁２−Ｄがねじによって固定されている。上側横梁２−Ｕ及び下側横梁２−Ｄにコ字形状の左側縦方向の取付ステー５−Ｌ及び右側縦方向の取付ステー５−Ｒを嵌込み、固定する。取付ステー５−Ｌ及び５−Ｒは、支持台６に前後回転可能に支持されるように、折曲部５−Ｌ−１を有し、取付ステー５−Ｌ及び５−Ｒの折曲部５−Ｒ−１をボルト／ナットによって支持台６に固定する。【選択図】        図３
2016091967.tif 000002
【特許請求の範囲】
【請求項１】
半導体発光モジュール群と、
前記半導体発光モジュール群の第１の端表側を固定する前縁部を有する第１の側梁と、
前記半導体発光モジュール群の第２の端表側を固定する前縁部を有する第２の側梁と、
少なくとも前記第１の側梁を固定する第１の取付ステーと、
少なくとも前記第２の側梁を固定する第２の取付ステーと、
前記第１、第２の取付ステーを前後回転可能に支持する支持台と
を具備する照明装置。
【請求項２】
前記半導体発光モジュール群は縦方向に結合された複数の半導体発光モジュール列よりなり、
前記第１の側梁は上側横梁であり、
前記第２の側梁は下側横梁であり、
前記第１の取付ステーは前記上側横梁及び前記下側横梁の両方を固定する左側縦方向取付ステーであり、
前記第２の取付ステーは前記上側横梁及び前記下側横梁の両方を固定する右側縦方向取付ステーである請求項１に記載の照明装置。
【請求項３】
前記上側横梁及び前記下側横梁は後方に向って末広がり形状をなしており、
前記左側縦方向取付ステー及び前記右側縦方向取付ステーは、それぞれ、上側折曲部及び下側折曲部を有して前方に向ってコ字形状をなしている請求項２に記載の照明装置。
【請求項４】
前記左側縦方向取付ステー及び前記右側縦方向取付ステーは、それぞれ、前記支持台に固定されるための横側折曲部を有する請求項２に記載の照明装置。
【請求項５】
前記半導体発光モジュール群は横方向に結合された複数の半導体発光モジュール列よりなり、
前記第１の側梁は左側縦梁であり、
前記第２の側梁は右側縦梁であり、
前記第１の取付ステーは前記左側縦梁を固定する左側取付ステーであり、
前記第２の取付ステーは前記右側縦梁を固定する右側取付ステーである請求項１に記載の照明装置。
【請求項６】
前記左側縦梁及び前記右側縦梁は後方に向って末広がり形状をなしており、
前記左側取付ステーは前記左側縦梁を固定するための折曲部を有し、
前記右側取付ステーは前記右側縦梁を固定するための折曲部を有する請求項５に記載の照明装置。
【請求項７】
前記左側取付ステー及び前記右側取付ステーは、それぞれ、前記支持台に固定されるための折曲部を有する請求項５に記載の照明装置。
【請求項８】
さらに、
前記第１の側梁の前縁部及び前記第２の側梁の前縁部に嵌込まれたスライドカバーを具備する請求項１に記載の照明装置。
【請求項９】
前記第１の側梁の前縁部及び後縁部と前記第２の側梁の前縁部及び後縁部とは凸状断面を有する請求項１に記載の照明装置。
【請求項１０】
さらに、
前記第１の側梁の両側端及び前記第２の側梁の両側端に固定された保護部材を具備する請求項１に記載の照明装置。
【発明の詳細な説明】
【技術分野】
【０００１】
本発明は半導体発光モジュールを用いた照明装置に関する。
【背景技術】
【０００２】
光源からある程度離れた照明対象に所定の明るさの光を照明する照明装置として投光器がある。最近、このような投光器の光源として低消費電力かつ長寿命の発光ダイオード（ＬＥＤ）モジュールを用いている。
【０００３】
投光器として作用する第１の従来の照明装置は、ＬＥＤモジュールを囲むように設けられた環状、碗状あるいは四角状のリフレクタを備えている（参照：特許文献１、２）。
【０００４】
しかしながら、上述の第１の従来の照明装置においては、ＬＥＤモジュールの配光面積が小さく、この結果、照明対象を効率的に照明できない。また、ＬＥＤモジュールから発生する熱を発散しにくく、この結果、ＬＥＤモジュールの劣化、損傷を招く。
【０００５】
図８は投光器として作用する第２の従来の照明装置を示す写真である。図８においては、ＬＥＤモジュールの外周を金属フレーム１０１で囲み、金属フレーム１０１をコ字状ステー１０２で回転可能に支持する。
【０００６】
また、投光器として作用する第３の従来の照明装置は、円錐状のハウジングと、ハウジングの開口面に設けられたＬＥＤモジュールとを備えている（参照：特許文献３）。
【０００７】
さらに、投光器として作用する第４の従来の照明装置は、装着面及び側面部を有するベース本体部材と、ＬＥＤモジュールが装着された傾斜面を有する傾斜ブロック部材とを備え、傾斜ブロック部材をベース本体部材の装着面及び側面部に装着する（参照：特許文献４）。
【０００８】
上述の第２、第３及び第４の従来の照明装置においては、リフレクタを用いていないので、配光面積が大きくなり、照明対象を効率的に照明できる。また、ＬＥＤモジュールから発生する熱も前面より直接発散するので、ＬＥＤモジュールの劣化、損傷が生じにくい。
【先行技術文献】
【特許文献】
【０００９】
【特許文献１】特開２００３−３１７５０２号公報
【特許文献２】特開２０１４−１６４８３２号公報
【特許文献３】特開２００９−２３８７３４号公報
【特許文献４】特表２０１１−５１５８１６号公報（特許第５４４２７０８号）
【発明の概要】
【発明が解決しようとする課題】
【００１０】
しかしながら、上述の第２、第３、第４の従来の照明装置においては、ＬＥＤモジュールの全周を金属フレーム、ハウジングあるいはベース本体部材で囲んでいる。従って、重量化し、また、放熱性が依然として悪いという課題がある。さらに、構成が複雑であるので、要求光度に合わせてＬＥＤモジュール数を変更することが困難であり、この結果、製造コストが高くなるという課題もある。
【課題を解決するための手段】
【００１１】
上述の課題を解決するために、本発明に係る照明装置は、半導体発光モジュール群と、半導体発光モジュール群の第１の端表側を固定する前縁部を有する第１の側梁と、半導体発光モジュール群の第２の端表側を固定する前縁部を有する第２の側梁と、少なくとも第１の側梁を固定する第１の取付ステーと、少なくとも第２の側梁を固定する第２の取付ステーと、第１、第２の取付ステーを前後回転可能に支持する支持台とを具備するものである。
【発明の効果】
【００１２】
本発明によれば、第１の側梁及び第２の側梁は半導体発光モジュール群の周囲の一部しか囲んでいないので、軽量化することができ、かつ放熱性を向上できる。また、第１の側梁、第２の側梁の長さ、取付ステーの長さまたは支持台の長さを変更するだけで要求光度に合わせて半導体発光モジュール数を容易に変更でき、この結果、製造コストを低減できる。
【図面の簡単な説明】
【００１３】
【図１】本発明に係る照明装置の第１の実施の形態を示す斜視図である。
【図２】図１の照明装置の種々の方向から見た図であり、（Ａ）は正面図、（Ｂ）は（Ａ）の右側面図、（Ｃ）は（Ａ）の背面図、（Ｄ）は（Ａ）のＤ−Ｄ線断面図、（Ｅ）は（Ａ）の底面図である。
【図３】図１の照明装置の分解斜視図である。
【図４】図１の照明装置の製造方法を説明するためのフローチャートである。
【図５】図１の照明装置の変更例を示す斜視図である。
【図６】本発明に係る照明装置の第２の実施の形態を示し、（Ａ）は正面斜視図、（Ｂ）は背面斜視図である。
【図７】図６の照明装置の変更例を示す斜視図である。
【図８】第２の従来の照明装置を示す写真である。
【発明を実施するための形態】
【００１４】
図１は本発明に係る照明装置の第１の実施の形態を示す斜視図、図２は図１の照明装置の種々の方向から見た図であり、（Ａ）は正面図、（Ｂ）は（Ａ）の右側面図、（Ｃ）は（Ａ）の背面図、（Ｄ）は（Ａ）のＤ−Ｄ線断面図、（Ｅ）は（Ａ）の底面図である。
【００１５】
図１、図２においては、ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５は、列毎に隙間を空けて縦方向に結合されて配置されている。各ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５は分離した基台１（図２の（Ｃ）参照）の表面に装着され、基台１の背面には放熱フィン１ａが設けられている。各ＬＥＤモジュールはたとえば４つの白色光ＬＥＤ素子よりなる。
【００１６】
このように、ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５を隙間を空けて分離することにより、照明装置が高所に設けられた場合に、風通しをよくして放熱効果を向上させると共に、照明装置が風を受けても移動、損壊しないようにする。
【００１７】
ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５の各基台１の上端表側には、１枚の上側横梁２−Ｕがねじ２ａ−１（図２の（Ｄ）参照）によって固定され、他方、各基台１の下端表側には、１枚の下側横梁２−Ｄがねじ２ｂ−１（図２の（Ｄ）参照）によって固定されている。尚、上側横梁２−Ｕ及び下側横梁２−Ｄは押出し成形されたアルミニウムよりなる。
【００１８】
ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５が固定された上側横梁２−Ｕ及び下側横梁２−Ｄの剛性を確保するために、上側横梁２−Ｕ及び下側横梁２−Ｄの前縁及び後縁を凸状断面形状にしてある。また、ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５に風を取込み易くするために、図２の（Ｂ）、（Ｄ）に示すごとく、上側横梁２−Ｕ及び下側横梁２−Ｄを後方に向って末広がり形状としてある。
【００１９】
上側横梁２−Ｕの前縁部の溝には、意匠性の向上のために、ねじ２ａ−１の目隠し用のスライドカバー３−Ｕが嵌められ、また、上側横梁２−Ｕの両側端には、施行の安全対策のために、樹脂よりなる保護部材４−Ｕがねじ２ａ−２（図２の（Ｂ）参照）によって固定される。この場合、ねじ２ａ−２は上側横梁２−Ｕの前縁部及び後縁部の凸状部分に嵌込まれる。同様に、下側横梁２−Ｄの前縁部の溝には、意匠性の向上のために、ねじ２ｂ−１の目隠し用のスライドカバー３−Ｄが嵌められ、また、下側横梁２−Ｄの両側端には、施行の安全対策のために、樹脂よりなる保護部材４−Ｄがねじ２ｂ−２（図２の（Ｂ）参照）によって固定される。この場合、ねじ２ｂ−２は下側横梁２−Ｄの前縁部及び後縁部の凸状部分に嵌込まれる。尚、スライドカバー３−Ｕ、３−Ｄも、上側横梁２−Ｕ、下側横梁２−Ｄと同様に、押出し成形されたアルミニウムよりなる。
【００２０】
ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５が固定された上側横梁２−Ｕ及び下側横梁２−Ｄに、ＳＵＳよりなる左側縦方向の取付ステー５−Ｌの上側折曲部５−Ｌ−１（図３参照）、下側折曲部５−Ｌ−２（図示せず）及び右側縦方向の取付ステー５−Ｒの上側折曲部５−Ｒ−１、下側折曲部５−Ｒ−２（図２の（Ｄ）参照）を嵌込み、ねじ５ａ、５ｂ（図２の（Ｄ）参照）によって固定する。この場合、左側縦方向の取付ステー５−Ｌ及び右側縦方向の取付ステー５−Ｒは前方に向ってコ字形状となっており、この結果、後方に向って末広がり形状の上側横梁２−Ｕ及び下側横梁２−Ｄに嵌込み易くなっている。
【００２１】
取付ステー５−Ｌ及び５−Ｒは、支持台６に前後回転可能に支持されるように、横側折曲部５−Ｌ−３及び５−Ｒ−３（図２の（Ｃ）参照）を有する。取付ステー５−Ｌ及び５−Ｒ、横側折曲部５−Ｌ−３及び５−Ｒ−３はボルト／ナット７Ｌ−１、７Ｌ−２及び７Ｒ−１、７Ｒ−２によって支持台６に固定される。この場合、横側折曲部５−Ｌ−３及び５−Ｒ−３に設けられるボルト／ナット７Ｌ−１、７Ｒ−１は取付ステー５−Ｌ及び５−Ｒの回転角度を調整するものであり、ボルト／ナット７Ｌ−２、７Ｒ−２は取付ステー５−Ｌ及び５−Ｒの回転中心を固定するものである。
【００２２】
支持台６の中心には、支持台６が設置部（図示せず）に左右回転可能に設置できるように、回転角度調整用ボルト／ナットの穴６ａ、回転中心固定用ボルト／ナットの穴６ｂが形成されている。
【００２３】
取付ステー５−Ｌ及び５−Ｒの一方には電源ユニット８が固定されている。この場合、電源ユニット８は取付ステー５−Ｌまたは５−Ｒの後側に固定されるので、ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５の配置及び数に影響しない。
【００２４】
このように、上述の第１の実施の形態においては、ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５は、上側横梁２−Ｕ、下側横梁２−Ｄ、左側縦方向の取付ステー５−Ｌ、右側縦方向の取付ステー５−Ｒのみによって支持台６に固定されているので、軽量化が図れると共に、放熱効果が向上する。また、ＬＥＤモジュールの横方向の数は上側横梁２−Ｕ及び下側横梁２−Ｄの長さの変更によって容易に変更でき、他方、ＬＥＤモジュールの縦方向の数は取付ステー５−Ｌ及び５−Ｒの長さの変更によって容易に変更できる。従って、要求光度に合わせたＬＥＤモジュール数の照明装置を容易に製造でき、この結果、製造コストも低減できる。尚、上側横梁２−Ｕ、下側横梁２−Ｄ、スライドカバー３−Ｕ、３−Ｄをアルミニウムにより構成し、取付ステー５−Ｌ、５−ＲをＳＵＳにより構成することにより塩害対策にもなる。
【００２５】
次に、図１の照明装置の製造方法を図３に示す分解斜視図及び図４のフローチャートを参照して説明する。
【００２６】
始めに、ＬＥＤモジュール準備工程４０１にて、放熱フィン１ａを裏面に有する基台１に装着された４列のＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５を準備する。
【００２７】
次に、横梁固定工程４０２にて、上側横梁２−Ｕの前縁部を基台１の上端表側にねじによって固定し、また、下側横梁２−Ｄの前縁部を基台１の下端表側にねじによって固定する。
【００２８】
次に、スライドカバー嵌込工程４０３にて、上側横梁２−Ｕの前縁側のねじを目隠しするために、その前縁部の溝にスライドカバー３−Ｕを滑込ませて嵌込む。また、下側横梁２−Ｄの前縁側のねじを目隠しするために、その前縁部の溝にスライドカバー３−Ｄを滑込ませて嵌込む。このスライドカバー嵌込工程４０３は、上側横梁２−Ｕ、下側横梁２−Ｄ、スライドカバー３−Ｕ、３−Ｄのいずれも押出し成形によって形成されているので、容易な作業となる。
【００２９】
次に、保護部材固定工程４０４にて、上側横梁２−Ｕの両側端に、保護部材４−Ｕをねじによって固定する。また、下側横梁２−Ｄの両側端に、保護部材４−Ｄをねじによって固定する。
【００３０】
次に、取付ステー固定工程４０５にて、左側縦方向の取付ステー５−Ｌの上側折曲部５−Ｌ−１、下側折曲部５−Ｌ−２（図示せず）及び右側縦方向の取付ステー５−Ｒの上側折曲部５−Ｒ−１、下側折曲部５−Ｒ−２を上側横梁２−Ｕ及び下側横梁２−Ｄの後方より嵌込み、ねじによって固定する。
【００３１】
次に、支持台固定工程４０６にて、取付ステー５−Ｌの横側折曲部５−Ｌ−３及び取付ステー５−Ｒの横側折曲部５−Ｒ−３を支持台６に前後回転可能にねじによって固定する。
【００３２】
最後に、電源ユニット固定工程４０７にて、取付ステー５−Ｌあるいは５−Ｒの後側に電源ユニット８を固定する。これにより、図１の照明装置は完成する。尚、電源ユニット固定工程４０７は支持台固定工程４０６の前に行ってもよい。
【００３３】
図５は図１の照明装置の変更例を示す斜視図である。図５においては、電源ユニット８を照明装置の表側にＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５に隣接して設けてある。この場合、電源ユニット８は上側横梁２−Ｕ及び下側横梁２−Ｄにねじ（図示せず）によって固定する。従って、上側横梁２−Ｕ、下側横梁２−ＤをＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５に固定する図４の横梁固定工程４０２において、上側横梁２−Ｕ、下側横梁２−Ｄを電源ユニット８に固定すればよい。また、図５の電源ユニット８の設置のためには、図１の照明装置に比較して、上側横梁２−Ｕ、下側横梁２−Ｄ、スライドカバー３−Ｕ、３−Ｄの長さを大きくするのみでよい。このように、照明装置の設置場所等に応じて電源ユニット８の位置を変更しても製造コストの上昇はほとんどない。
【００３４】
図６は本発明に係る照明装置の第２の実施の形態を示し、（Ａ）は正面斜視図、（Ｂ）は（Ａ）の背面斜視図である。
【００３５】
図６においては、ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５は、列毎に隙間を空けて横方向に結合されて配置されている。この場合も、ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５を隙間を空けて分離することにより、照明装置が高所に設けられた場合に、風通しをよくして放熱効果を向上させると共に、照明装置が風を受けても移動、損壊しないようにする。
【００３６】
ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５の各基台の左端表側には、１枚の左側縦梁２−Ｌがねじによって固定され、他方、各基台の右端表側には、１枚の右側縦梁２−Ｒがねじによって固定されている。尚、左側縦梁２−Ｌ及び右側縦梁２−Ｒは図１の上側横梁２−Ｕ及び下側横梁２−Ｄと同一である。
【００３７】
左側縦梁２−Ｌの前縁部の溝には、意匠性の向上のために、ねじの目隠し用のスライドカバー３−Ｌが嵌められ、また、右側縦梁２−Ｒの両側端には、施行の安全対策のために、樹脂よりなる保護部材４−Ｌがねじによって固定される。同様に、右側縦梁２−Ｒの前縁部の溝には、意匠性の向上のために、ねじの目隠し用のスライドカバー３−Ｒが嵌められ、また、右側縦梁２−Ｒの両側端には、施行の安全対策のために、樹脂よりなる保護部材４−Ｒがねじによって固定される。尚、スライドカバー３−Ｌ、３−Ｒは図１のスライドカバー３−Ｕ、３−Ｄと同一であり、保護部材４−Ｌ、４−Ｒは図１の保護部材４−Ｕ、４−Ｄと同一である。
【００３８】
ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５が固定された左側縦梁２−Ｌ及び右側縦梁２−Ｒに、ＳＵＳよりなる左側の取付ステー５’−Ｌの一方の折曲部及び右側の取付ステー５’−Ｒの一方の折曲部たとえば５’−Ｒ−１をねじによって固定する。
【００３９】
取付ステー５’−Ｌ及び５’−Ｒは、支持台６に前後回転可能に支持されるように、他方の折曲部たとえば５’−Ｒ−２を有する。取付ステー５’−Ｌ及び５’−Ｒの他方の折曲部たとえば５’−Ｒ−２はボルト／ナット７Ｌ−１、７Ｌ−２及び７Ｒ−１、７Ｒ−２によって支持台６に固定される。この場合、他方の折曲部たとえば５’−Ｒ−２に設けられるボルト／ナット７Ｌ−１、７Ｒ−１は取付ステー５’−Ｌ及び５’−Ｒの回転角度を調整するものであり、ボルト／ナット７Ｌ−２、７Ｒ−２は取付ステー５’−Ｌ及び５’−Ｒの回転中心を固定するものである。
【００４０】
このように、上述の第２の実施の形態においても、ＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５は、左側縦梁２−Ｌ、右側縦梁２−Ｒ、左側縦方向の取付ステー５’−Ｌ、取付ステー５’−Ｒのみによって支持台６に固定されているので、軽量化が図れると共に、放熱効果が向上する。また、ＬＥＤモジュールの縦方向の数は左側縦梁２−Ｌ及び右側縦梁２−Ｒの長さの変更によって容易に変更でき、他方、ＬＥＤモジュールの横方向の数は支持台６の長さの変更によって容易に変更できる。従って、要求光度に合わせたＬＥＤモジュール数の照明装置を容易に製造でき、この結果、製造コストも低減できる。尚、左側縦梁２−Ｌ、右側縦梁２−Ｒ、スライドカバー３−Ｌ、３−Ｒをアルミニウムにより構成し、取付ステー５’−Ｌ、５’−ＲをＳＵＳにより構成することにより塩害対策にもなる。
【００４１】
尚、図６の照明装置の製造方法は概略図４のフローチャートに基づいて行われるので、その説明は省略する。
【００４２】
図７は図６の照明装置の変更例を示す斜視図である。図７においては、電源ユニット８を照明装置の表側にＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５に隣接して設けてある。この場合、電源ユニット８は左側縦梁２−Ｌ及び右側縦梁２−Ｒにねじ（図示せず）によって固定する。従って、左側縦梁２−Ｌ、右側縦梁２−ＲをＬＥＤモジュール列Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５に固定する図４の横梁固定工程４０２において、左側縦梁２−Ｌ、右側縦梁２−Ｒを電源ユニット８に固定すればよい。また、図７の電源ユニット８の設置のためには、図６の照明装置に比較して、左側縦梁２−Ｌ、右側縦梁２−Ｒ、スライドカバー３−Ｌ、３−Ｒの長さを大きくするのみでよい。このように、照明装置の設置場所等に応じて電源ユニット８の位置を変更しても製造コストの上昇はほとんどない。
【００４３】
尚、上述の第１、第２の実施の形態においては、支持台６はＬＥＤモジュールの下方に設けて照明装置を下置きにしているが、支持台６をＬＥＤモジュールの上方に設けて照明装置を上方から吊るし状態にすることもできる。
【００４４】
また、上述の第１、第２の実施の形態においては、ＬＥＤモジュールは列毎に隙間を空けて配置しているが、放熱効果及び風通し効果は低下するが、全体を隙間なく結合してもよい。
【００４５】
さらに、上述の実施の形態においては、ＬＥＤモジュールの代りに、他の半導体発光モジュールたとえばレーザダイオード（ＬＤ）モジュールを用いることもできる。
【００４６】
さらにまた、本発明は上述の実施の形態の自明の範囲内のいかなる変更も適用し得る。
【産業上の利用可能性】
【００４７】
本発明の照明装置は屋外施設の夜間照明等の投光器に利用できる。
【符号の説明】
【００４８】
Ｍ１１、Ｍ２１、Ｍ３１、Ｍ４１；Ｍ１２、Ｍ２２、Ｍ３２、Ｍ４２；…；Ｍ１５、Ｍ２５、Ｍ３５、Ｍ４５：ＬＥＤモジュール列
１：基台
２−Ｕ：上側横梁
２−Ｄ：下側横梁
２−Ｌ：左側縦梁
２−Ｒ：右側縦梁
２ａ−１、２ｂ−１：ねじ
２ａ−２、２ｂ−２：ねじ
３−Ｕ、３−Ｄ、３−Ｌ、３−Ｒ：スライドカバー
４−Ｕ、４−Ｄ、４−Ｌ、４−Ｒ：保護部材
５−Ｌ：左側縦方向の取付ステー
５−Ｌ−１：上側折曲部
５−Ｌ−２：下側折曲部
５−Ｌ−３：横側折曲部
５−Ｒ：右側縦方向の取付ステー
５−Ｒ−１：上側折曲部
５−Ｒ−２：下側折曲部
５−Ｒ−３：横側折曲部
５ａ、５ｂ：ねじ
５’−Ｌ：左側の取付ステー
５’−Ｒ：右側の取付ステー
５’−Ｒ−１、５’−Ｒ−２：折曲部
６：支持台
６ａ、６ｂ：穴
７Ｌ−１、７Ｌ−２、７Ｒ−１、７Ｒ−２：ボルト／ナット
８：電源ユニット
【図１】
2016091967.tif 000003
【図２】
2016091967.tif 000004
【図３】
2016091967.tif 000005
【図４】
2016091967.tif 000006
【図５】
2016091967.tif 000007
【図６】
2016091967.tif 000008
【図７】
2016091967.tif 000009
【図８】
2016091967.tif 000010